(57)【特許請求の範囲】
【請求項１】
プラスチックパイプの外周に独立した環状の補強リブが略等間隔に複数立設されてなるリブパイプが破損された際の補修方法であって、
（１）リブパイプの破損部分を除去し、除去部分より長く、補強リブの外周と略同一の内径を有するパイプの半割り管２個で除去部分をカバーし固定する第一工程、
（２）半割り管端部の接する、２枚の補強リブで囲まれたリブパイプの溝と、半割り管の端部の全周に、補強リブより高く且つ連続してエポキシ樹脂系硬化型接着剤を塗布する第二工程及び
（３）エポキシ樹脂系硬化型接着剤とその周囲の半割り管及びリブパイプを覆うように、熱収縮性フィルムの一面に粘着剤層が積層されている熱収縮性粘着テープを巻回し、加熱して熱収縮性粘着テープを収縮させる第三工程
からなることを特徴とするリブパイプの補修方法。
【請求項２】
リブパイプと同一径の短尺のリブパイプを除去部分に設置した後、半割り管２個で除去部分をカバーし固定することを特徴とする請求項１記載のリブパイプの補修方法。
【請求項３】
半割り管を接着剤で固定することを特徴とする請求項１又は２記載のリブパイプの補修方法。
【発明の詳細な説明】
【０００１】
【発明の属する技術分野】
本発明は、リブパイプにひび割れが入ったり、穴があいた際の補修方法に関する。
【０００２】
【従来の技術】
光ファイバーケーブル、電力ケーブル等のケーブルを地中に敷設する方法として、ケーブルをさや管に挿通し、複数のさや管を外管に挿通して地中に埋設する方法が採用されている。
【０００３】
このような外管は強度が要求されるので、プラスチックパイプの外周に独立した環状の補強リブが略等間隔に複数立設されてなるリブパイプが使用されているが、敷設後ケーブルの交換や増設の工事、周辺の土木工事などで破損されることがあった。
【０００４】
ひび割れ、小さな穴開き等の場合は、破損箇所をテーピングすることにより補修されているが、テーピングだけでは強度が弱く防水も不充分であった。又、リブパイプを地中の埋設敷設後に補修するのはより困難であった。
【０００５】
特に、ケーブルが挿通された複数のさや管が挿通されて地中に埋設敷設されたリブパイプに大きな損傷が発生した場合は、挿通されたさや管を取り出した後、リブパイプを新しいリブパイプに取り替えるしかなく、大規模な補修工事が必要であった。
【０００６】
【発明が解決しようとする課題】
本発明の目的は、上記実情に鑑みてなされたものであって、リブパイプに大きな損傷が発生した際に、特に、リブパイプが地中に埋設敷設後に大きな損傷が発生した際に、短時間に容易に補修でき、補修は強固で水密性よく補修できる方法を提供することにある。
【０００７】
【課題を解決するための手段】
本発明のリブパイプの補修方法は、プラスチックパイプの外周に独立した環状の補強リブが略等間隔に複数立設されてなるリブパイプが破損された際の補修方法であって、
（１）リブパイプの破損部分を除去し、除去部分より長く、補強リブの外周と略同一の内径を有するパイプの半割り管２個で除去部分をカバーし固定する第一工程、
（２）半割り管端部の接する、２枚の補強リブで囲まれたリブパイプの溝と、半割り管の端部の全周に、補強リブより高く且つ連続してエポキシ樹脂系硬化型接着剤を塗布する第二工程及び
（３）エポキシ樹脂系硬化型接着剤とその周囲の半割り管及びリブパイプを覆うように、熱収縮性フィルムの一面に粘着剤層が積層されている熱収縮性粘着テープを巻回し、加熱して熱収縮性粘着テープを収縮させる第三工程
からなることを特徴とする。
【０００８】
【発明の実施の形態】
次に、本発明のリブパイプの補修方法を図面を参照して説明する。図１は本発明のリブパイプの補修方法の一工程を示す側面図であり、熱収縮性粘着テープを巻回した状態を示している。図２は図１におけるＡ部の拡大断面図である。
【０００９】
本発明における第一工程は、リブパイプの破損部分を除去し、除去部分より長く、補強リブの外周と略同一の内径を有するパイプの半割り管２個で除去部分をカバーし固定する工程である。
【００１０】
図中１は、プラスチックパイプ１１の外周に独立した環状の補強リブ１２、１２・・が略等間隔に複数立設されてなるリブパイプであり、破損部分をグラインダー等で円筒状に切断して除去する。
【００１１】
次いで、除去部分より長く、リブの外周と略同一の内径を有するパイプの半割り管２、２で除去部分をカバーし、ステンレススチールバンド３、３で固定する。半割り管２の長さは、カバーする両側のそれぞれのリブパイプの２〜５個の補強リブをカバーする程度の長さが好ましい。
【００１２】
半割り管２、２の固定は任意の方法が採用されてよいが、ステンレススチールバンド、プラスチックバンド等で巻回して固定し、更に、水密性を向上させるために、半割り管２の端面同士を接着剤で固定するのが好ましい。
【００１３】
上記接着剤としては半割り管を接着しうる任意の接着剤が使用可能であるが、水密性及び作業性の面から紐状の独立気泡性合成樹脂発泡体の周囲に高分子樹脂系粘着剤が被覆されている紐状止水材が好ましい。
【００１４】
半割り管２、２の接続面の水密性を更に向上させるために、接続部に止水テープを貼着するのが好ましい。止水テープとしては、建築土木用に一般に使用されている任意の止水テープが使用可能であり、例えば、ゴムシート、不織布、プラスチックシート等のシートの一面にブチルゴム系粘着剤、アクリル樹脂系粘着剤等の粘着剤層が積層された粘着テープがあげられる。
【００１５】
本発明における第二工程は、半割り管端部の接する、２枚の補強リブで囲まれたリブパイプの溝と、半割り管の端部の全周に、補強リブより高く且つ連続してエポキシ樹脂系硬化型接着剤を塗布する工程である。
【００１６】
上記エポキシ樹脂系硬化型接着剤４は、リブパイプ１と半割り管２を接着しうる、従来公知の任意のエポキシ樹脂系硬化型接着剤が使用可能であり、例えば、積水化学工業からエスロンドレンタイトの商品名で販売されている、エポキシ樹脂と充填剤よりなる主剤と、ポリアミドアミン、ポリチオール、第３級アミン及び充填剤よりなる助剤からなる接着剤があげられる。
【００１７】
エポキシ樹脂系硬化型接着剤４は、図２に示したように、半割り管２端部の接する、２枚の補強リブ１２で囲まれたリブパイプの溝１３を埋めつくし、更に、半割り管２の端部の全周に、補強リブ１２より高く且つ連続して塗布する。
【００１８】
エポキシ樹脂系硬化型接着剤４はリブパイプ１と半割り管２を接着し、ずれないようにすると共に水密性を付与するものであるから上記溝１３を埋めつくし、半割り管２の端部の全周に連続して塗布する。又、その上に熱収縮性粘着テープを積層し収縮させた際に、熱収縮性粘着テープが緊密に密着するようにリブ１２より高く且つ連続して塗布する。
【００１９】
本発明における第三工程は、エポキシ樹脂系硬化型接着剤とその周囲の半割り管及びリブパイプを覆うように、熱収縮性フィルムの一面に粘着剤層が積層されている熱収縮性粘着テープを巻回し、加熱して熱収縮性粘着テープを収縮させる工程である。
【００２０】
上記熱収縮性粘着テープ５は、熱収縮性フィルムの一面に粘着剤層が積層されているテープであって、一般に建築用に使用されている、粘着性熱収縮性テープが使用可能であり、例えば、積水化学工業からポリロンジャケットの商品名で販売されている、熱収縮性架橋ポリエチレンフィルムの一面にブチルゴム系粘着剤層が積層されてなる熱収縮性粘着テープがあげられる。
【００２１】
熱収縮性粘着テープ５は、エポキシ樹脂系硬化型接着剤４とその周囲の半割り管２及びリブパイプ１を覆うように巻回するが、リブパイプ１はエポキシ樹脂系硬化型接着剤が塗布された補強リブ１２の近傍の２、３の補強リブまで巻回するのが好ましい。
【００２２】
又、熱収縮性粘着テープ５の巻回回数は、巻回する幅と熱収縮性粘着テープの幅から適宜決定すればよく、同一場所の巻回も１回でも複数回でもよい。
【００２３】
巻回後、加熱して熱収縮性粘着テープ５を収縮させ密着させるが、加熱方法は従来公知の任意の方法が採用されてよく、例えば、バーナーで端部から中心方向に加熱していく方法があげられる。
【００２４】
尚、熱収縮性粘着テープを収縮させる工程は、エポキシ樹脂系硬化型接着剤が未硬化で柔らかい時に行うと、熱収縮性粘着テープを収縮させる際に、エポキシ樹脂系硬化型接着剤が変形してリブパイプ及び熱収縮性粘着テープに強固に密着し、水密性が向上し強固に補強されるので好ましい。
【００２５】
図２中、６はリブパイプ１と同一径の短尺のリブパイプである。破損部分が長い場合には、半割り管２で補修しただけでは強度が不足するようになるので、リブパイプ１と同一径の短尺のリブパイプ６を除去部分に設置した後、半割り管２で除去部分をカバーし固定するのが好ましい。
【００２６】
短尺のリブパイプ６はリブパイプを切断することによって得られ、その幅、設置数は、必要とする強度により適宜決定すればよい。
【００３０】
【発明の効果】
本発明のリブパイプの補修方法は上述の通りなので、リブパイプが破損した際に、特に、リブパイプが地中に埋設敷設後に破損された際に、短時間に容易に補修でき、補修は強固で水密性が優れている。
又、破損部分が長くても、さや管が収納されていても強固かつ水密性よく補修できる。
【図面の簡単な説明】
【図１】本発明のリブパイプの補修方法の一工程を示す側面図である。
【図２】図１におけるＡ部の拡大断面図である。
【符号の説明】
１    リブパイプ
１１  プラスチックパイプ
１２  補強リブ
１３  溝
２    半割り管
３    ステンレススチールバンド
４    エポキシ樹脂系硬化型接着剤
５    熱収縮性粘着テープ
６    短尺のリブパイプ
【図１】
0003958549.tif 000002
【図２】
0003958549.tif 000003